(57)【要約】【課題】弁当箱の上部容器と下部容器とを同等の容量とすることができ、しかも使用後には、弁当箱の内部の汚れが外部に現れることがなく、上部容器を下部容器に収容し、弁当箱全体の高さを低くすることができる弁当箱を提供すること。【解決手段】蓋体、上部容器１および下部容器２がこの順に載置される弁当箱であって、上部容器１が下部容器２の内部に挿入しうる外周面を有し、上部容器１を下部容器２の上部で係止させるための係止部３ａ、３ｂが下部容器２の内部に設けられ、上部容器１と下部容器２とを相対的に半回転させたときに係止部３ａ、３ｂによって上部容器１が下部容器の上部で係止されるのを回避するための係止回避部５ａ、５ｂが上部容器１の外周面に設けられていることを特徴とする弁当箱。【選択図】図１
2009172266.tif 000002
【特許請求の範囲】
【請求項１】
蓋体、上部容器および下部容器がこの順に載置される弁当箱であって、上部容器が下部容器の内部に挿入しうる外周面を有し、上部容器を下部容器の上部で係止させるための係止部が下部容器の内部に設けられ、上部容器と下部容器とを相対的に半回転させたときに係止部によって上部容器が下部容器の上部で係止されるのを回避するための係止回避部が上部容器の外周面に設けられていることを特徴とする弁当箱。
【請求項２】
上部容器および下部容器の平面形状がそれぞれ長方形状であり、下部容器の長手方向の一方の内表面に係止部が間隔をあけて２カ所設けられ、当該内表面と対向する下部容器の長手方向の内表面で前記係止部とは異なる位置に他の係止部が間隔をあけて２カ所設けられている請求項１記載の弁当箱。
【請求項３】
上部容器と下部容器の容量が同等である請求項１または２記載の弁当箱。
【請求項４】
上部容器の上面に、弁当箱内に箸を収納するための中蓋が設けられている請求項１〜３いずれか記載の弁当箱。
【発明の詳細な説明】
【技術分野】
【０００１】
本発明は、弁当箱に関する。さらに詳しくは、使用後に上部容器を下部容器内に収容し、弁当箱全体の高さを低くすることができる弁当箱に関する。
【背景技術】
【０００２】
弁当を詰めた状態から食べ終わって空にした段階でその大きさをコンパクトにすることができる弁当箱として、弁当を詰めるときには、弁当箱本体の上に容器本体を載せ、さらにその上に上蓋を載置し、弁当を食べ終わった後には、容器本体を逆さまにして弁当本体の蓋として使用し、上蓋を弁当箱本体の底部に取り付けるように構成された弁当箱が提案されている（例えば、特許文献１参照）。
【０００３】
しかし、この弁当箱は、弁当箱本体内に詰められた弁当が容器本体の底面と接触し、当該容器本体の底面が汚れることがある。したがって、この弁当箱には、弁当を食べ終わった後、容器本体を逆さまにして弁当本体の蓋として使用したとき、この汚れた底面が弁当箱の上蓋の上面をなすため、その汚れを拭き取らなければ、弁当袋、鞄、バッグなどに収納することができないという欠点がある。
【０００４】
また、２段型の弁当箱であって、使用を終えた後にコンパクトに収納することができる弁当箱として、弁当を詰めるときには、上段の容器本体と下段の容器本体の間に、中皿を介在させて上段の容器本体と下段の容器本体とを積載し、使用を終えた後には、介在している中皿を取り除くことにより、下段の容器本体内に上段の容器本体が収納されるように構成された弁当箱が提案されている（例えば、特許文献２参照）。
【０００５】
しかし、この弁当箱には、上段の容器本体を下段の容器本体の上に積載するために使用される中皿を必要とするため、構造が複雑となるのみならず、使用を終えた後に不要となった中皿を弁当箱の上部に積載する必要があるため、弁当箱をコンパクトに収納することができないという欠点がある。
【０００６】
【特許文献１】実開平６−４８４２０号公報
【特許文献２】特開２００５−８１０５２号公報
【発明の開示】
【発明が解決しようとする課題】
【０００７】
本発明は、前記従来技術に鑑みてなされたものであり、その構造が簡単であり、使用後には、弁当箱の内部の汚れが外部に現れることがなく、弁当箱全体の高さを低くすることができる弁当箱を提供することを課題とする。
【課題を解決するための手段】
【０００８】
本発明の弁当箱は、蓋体、上部容器および下部容器がこの順に載置される弁当箱であり、上部容器が下部容器の内部に挿入しうる外周面を有し、上部容器を下部容器の上部で係止させるための係止部が下部容器の内部に設けられ、上部容器と下部容器とを相対的に半回転させたときに係止部によって上部容器が下部容器の上部で係止されるのを回避するための係止回避部が上部容器の外周面に設けられていることを特徴とする。
【０００９】
本発明の弁当箱は、前記構成を有するので、その構造が簡単であり、使用後には、弁当箱の内部の汚れが外部に現れることがなく、弁当箱全体の高さを低くすることができる。
【００１０】
前記弁当箱において、上部容器および下部容器の平面形状がそれぞれ長方形状であり、下部容器の長手方向の一方の内表面に係止部が間隔をあけて２カ所設けられ、当該内表面と対向する下部容器の長手方向の内表面で前記係止部とは異なる位置に他の係止部が間隔をあけて２カ所設けられている場合には、上部容器と下部容器とを相対的に半回転させたとき、下部容器上に上部容器を容易に載置するか、または上部容器を下部容器内に容易に収容することができる。
【００１１】
前記弁当箱において、上部容器と下部容器の容量が同等である場合には、上部容器または下部容器内を２：１に区切ることにより、主食と主菜と副菜との理想的な容量比といわれている３：１：２の割合のスペースを形成することができる。
【００１２】
前記弁当箱において、上部容器の上面に、弁当箱内で箸を設置するための中蓋が設けられている場合には、弁当箱内に箸を収納することができるので、箸を収容するための箸箱が不必要となり、携帯に便利な弁当箱とすることができる。
【発明の効果】
【００１３】
本発明の弁当箱は、その構造が簡単であり、使用後には、弁当箱の内部の汚れが外部に現れることがなく、弁当箱全体の高さを低くすることができるという効果を奏する。
【発明を実施するための最良の形態】
【００１４】
本発明の弁当箱は、蓋体、上部容器および下部容器がこの順に載置される弁当箱であり、上部容器が下部容器の内部に挿入しうる外周面を有し、上部容器を下部容器の上部で係止させるための係止部が下部容器の内部に設けられ、上部容器と下部容器とを相対的に半回転させたときに係止部によって上部容器が下部容器の上部で係止されるのを回避するための係止回避部が上部容器の外周面に設けられていることを特徴とする。
【００１５】
以下、本発明の弁当箱の好適な実施態様を図面に基づいて説明するが、本発明は、かかる実施態様のみに限定されるものではない。
【００１６】
図１は、本発明の弁当箱において、蓋体が取り外されているときの一実施態様を示す概略斜視図である。図２は、図１に示される弁当箱において、上部容器と下部容器とを相対的に半回転させたとき一実施態様を示す概略斜視図である。
【００１７】
図１には、上部容器１および下部容器２の内部に弁当を詰めて使用するときの実施態様が示されている。使用時において、蓋体（図示せず）、上部容器１および下部容器２は、それぞれこの順に載置される。
【００１８】
蓋体、上部容器１および下部容器２は、いずれも、例えば、ポリプロピレン、スチロール樹脂、ＡＳ樹脂、ＡＢＳ樹脂、アクリル樹脂、フェノール樹脂、メラミン樹脂などの樹脂で形成することができる。
【００１９】
上部容器１および下部容器２の平面形状としては、例えば、長方形、正方形、円形、楕円形などが挙げられる。これらの平面形状の中では、下部容器２上に上部容器１を載置したり、上部容器１を下部容器２内に収納することが容易であることから、それぞれ長方形であることが好ましい。
【００２０】
上部容器１は、下部容器２の内部に挿入しうる外周面を有している。すなわち、上部容器１の外周面における幅および長さは、上部容器１を下部容器２の内部に挿入することができるようにするために、下部容器２の内周面における幅および長さよりも小さくなっている。
【００２１】
一般に、主食と主菜と副菜との理想的な容量比は、３：１：２であるといわれている。本発明において、上部容器１の容量と下部容器２の容量とが同等である場合、上部容器１または下部容器２内をその容量が２：１となるように区切ることにより、主食と主菜と副菜との容量比を３：１：２に容易に調整することができる。内部容器１または下部容器２内は、例えば、取り外し可能な仕切り板（図示せず）などで区切ることができる。より具体的には、上部容器１の内部にその容量が２：１となるように仕切り板用の溝を形成しておき、その溝に仕切り板を着脱可能に装着することにより、上部容器１の内部を容量が２：１となるように区切ることができる。
【００２２】
上部容器１の外周面における幅および長さは、上部容器１を下部容器２の内部に挿入することができるようにするために、下部容器２の内周面における幅および長さよりも小さくなっていることから、上部容器１の容量と下部容器２の容量とが同等となるようにするために、上部容器１の内高（容器の内部における高さ）を下部容器２の内高よりも高くし、この上部容器１の内高を調整すればよい。
【００２３】
下部容器２の内部には、上部容器１を下部容器２の上部で係止させるための係止部３ａ、３ｂが設けられている。下部容器２の内部に設けられている係止部３ａ、３ｂにより、上部容器１が下部容器２内に完全に収納されるのが防止され、上部容器１を下部容器２の上部で係止することができる。
【００２４】
図１に示される実施態様では、係止部３ａは、下部容器２の長手方向の一方の内表面に間隔をあけて２カ所設けられている。係止部３ａが設けられる個数は、上部容器１の底部を安定して保持することができればよく、特に限定されないが、上部容器１の底部を安定して保持するとともに、構造を簡素化させる観点から、２〜３個であることが好ましく、２個であることがより好ましい。係止部３ａの形状は、図１に示される実施態様では、半円柱状であるが、これに限定されず、例えば、四角柱状などであってもよい。
【００２５】
下部容器２の上端と係止部３ａの上端との間には、下部容器２の上に上部容器１を安定して載置するために、係止部３ａが存在していない係止部切欠４ａが設けられていることが好ましい。
【００２６】
係止部３ｂは、係止部３ａが設けられている下部容器２の内表面と対向する下部容器２の長手方向の内表面で、係止部３ａとは異なる位置に設けられている。これにより、下部容器２の上に上部容器１を安定して載置することができる。
【００２７】
図１に示される実施態様では、係止部３ｂは、下部容器２の係止部３ａが設けられている内面と対向する内面に間隔をあけて２カ所設けられている。係止部３ｂが設けられる位置は、上部容器１と下部容器２とを相対的に半回転させたときに、上部容器１を下部容器２の内部に挿入することができるようにするために、下部容器２の内表面と対向する下部容器２の長手方向の内表面で係止部３ａとは異なる位置に設けられる。
【００２８】
図１に示される実施態様では、係止部３ｂは、下部容器２の長手方向の係止部３ａを有する面と対向する内表面の両端にある各コーナー部に設けられている。係止部３ｂが設けられる個数は、上部容器１の底部を安定して保持することができればよく、特に限定されないが、上部容器１の底部を安定して保持するとともに、構造を簡素化させる観点から、２〜３個であることが好ましく、２個であることがより好ましい。係止部３ｂの形状は、図１に示される実施態様では、半円柱状であるが、これに限定されず、他の形状であってもよい。
【００２９】
下部容器２の上端と係止部３ｂの上端との間には、下部容器２の上に上部容器１を安定して載置するために、係止部３ｂが存在していない係止部切欠４ｂが設けられていることが好ましい。
【００３０】
下部容器２の上端と係止部３ａの上端との間の長さｐと、下部容器２の上端と係止部３ｂの上端との間の長さｑは、下部容器２の上部に上部容器１を安定して設置する観点から、同一であることが好ましい。
【００３１】
上部容器１の外周面には、上部容器１と下部容器２とを相対的に半回転させたときに、下部容器２に設けられている係止部３ａ、３ｂによって上部容器１が下部容器２の上部で係止されるのを回避するために、上部容器１の外周面に係止回避部５ａ、６ｂが設けられている。
【００３２】
係止回避部５ａは、係止部３ａによって上部容器１の底面が係止されるのを回避するために設けられている。係止回避部５ａの形状は、係止部３ａの形状に対応する形状を有している。係止回避部５ａは、上部容器１の底面が係止部３ａによって係止されることを回避する。
【００３３】
一方、係止回避部５ｂは、係止回避部５ａと同様に、係止部３ｂによって上部容器１の底面が係止されるのを回避するために設けられている。係止回避部５ｂの形状は、係止部３ｂの形状に対応する形状を有している。係止回避部５ｂは、上部容器１の底面が係止部３ｂによって係止されることを回避する。
【００３４】
図２は、図１に示される弁当箱において、上部容器１または下部容器２を相対的に半回転させたときの上部容器１と下部容器２の状態を示している。
【００３５】
図２に示されるように、上部容器１の外周面に係止回避部５ａ、５ｂが設けられているので、上部容器１の底面が下部容器２の係止部３ａ、３ｂで係止されずに、上部容器１を下部容器２内に挿入し、収容することができる。
【００３６】
以上のことから、上部容器１および下部容器２の平面形状がそれぞれ長方形状であり、下部容器２の長手方向の一方の内表面に係止部３ａが間隔をあけて２カ所設けられ、当該内表面と対向する下部容器２の長手方向の内表面で前記係止部３ａとは異なる位置に係止部３ｂが間隔をあけて２カ所設けられていることが、下部容器２上に上部容器１を容易に載置したり、あるいは下部容器２内に上部容器１を容易に挿入することができるので好ましい。
【００３７】
なお、上部容器１の上面には、弁当箱の内部に箸を設置するために、図３に示されるような中蓋６が設けられていてもよい。このように、箸を設置するための中蓋６が設けられている場合、箸を収容するための箸箱を不要とし、箸を弁当箱内にコンパクトに収容することができる。なお、中蓋６には、箸を設置するために、箸の形状に対応した形状を有する箸用溝６ａが形成されている。
【００３８】
以上のように、本発明の弁当箱は、蓋体、上部容器１および下部容器２がこの順に載置され、上部容器１が下部容器２の内部に挿入しうる外周面を有し、上部容器１を下部容器２の上部で係止させるための係止部３ａ、３ｂが下部容器２の内部に設けられ、上部容器１と下部容器２とを相対的に半回転させたときに係止部３ａ、３ｂによって上部容器１が下部容器２の上部で係止されるのを回避するための係止回避部５ａ、５ｂが上部容器１の外周面に設けられている。したがって、本発明の弁当箱は、その構造が簡単であり、使用後には、弁当箱の内部の汚れが外部に現れることがなく、弁当箱全体の高さを低くすることができる。
【００３９】
図４は、上部容器（図示せず）および下部容器２がこの順に載置され、上部容器１の上部から蓋体７によって上部容器および下部容器２が覆われている本発明の弁当箱８の一実施態様を示す斜視図である。蓋体７の大きさは、上部容器および下部容器２を収容することができればよく、任意である。なお、使用に際して、蓋体７が外れないようにするために、必要により、例えば、ゴム帯などで弁当箱８全体を固定してもよい。
【００４０】
次に、上部容器１と下部容器２とを相対的に半回転させた場合には、下部容器２内に上部容器１が収容され、上部容器１が収容された下部容器２を蓋体７の内部に収容することができる。このことから、上部容器１および下部容器２が空の状態では、上部容器１と下部容器２とを相対的に半回転させるだけで、上部容器１を下部容器２内に容易に収容することができるので、使用後には、弁当箱８の内部の汚れが外部に現れることがなく、弁当箱８全体の高さを低くすることができる。
【００４１】
以上説明したように、本発明の弁当箱は、その構造が簡単であり、使用後には、上部容器１と下部容器２とを相対的に半回転させるだけで、弁当箱の内部の汚れが外部に現れることがなく、弁当箱全体の高さを低くすることができるものである。
【図面の簡単な説明】
【００４２】
【図１】本発明の弁当箱において、蓋体が取り外されているときの一実施態様を示す概略斜視図である。
【図２】図１に示される弁当箱において、上部容器と下部容器とを相対的に半回転させたとき一実施態様を示す概略斜視図である。
【図３】本発明の弁当箱の上部容器の上面に設置することができる中蓋の概略斜視図である。
【図４】本発明の弁当箱の概略斜視図である。
【符号の説明】
【００４３】
１    上部容器
２    下部容器
３ａ  係止部
３ｂ  係止部
５ａ  係止回避部
５ｂ  係止回避部
６    中蓋
７    蓋体
８    弁当箱
【図１】
2009172266.tif 000003
【図２】
2009172266.tif 000004
【図３】
2009172266.tif 000005
【図４】
2009172266.tif 000006